(57)【特許請求の範囲】
【請求項１】
モータを収容するためのスリーブを備える電気モータ用マウントであって、前記スリーブは第１の端部と第２の端部との間に延びる長手方向軸線を有し、前記第１の端部は、該第１の端部から外方に突出する個々の尖端に終端する複数の突起を有し、前記複数の突起は前記長手方向軸線に沿って延びている、マウント。
【請求項２】
前記スリーブは、前記第１の端部又は前記第２の端部によって前記モータを収容する、請求項１に記載のマウント。
【請求項３】
前記複数の突起は、前記スリーブの円周の周りで離間している、請求項１又は請求項２に記載のマウント。
【請求項４】
前記複数の突起は、前記スリーブの周りに実質的に一定周波数のパターンを備える、請求項１から請求項３のいずれか１項に記載のマウント。
【請求項５】
前記複数の突起は、前記尖端が前記スリーブの前記第１の端部から前記長手方向軸線に沿って延びて実質的にＶ字形である、請求項１から請求項４のいずれか１項に記載のマウント。
【請求項６】
半径方向シールが設けられ、前記半径方向シールは前記スリーブの円周の周りに延びている、請求項１から請求項５のいずれか１項に記載のモータ用マウント。
【請求項７】
前記半径方向シールはリップシールである、請求項６に記載のマウント。
【請求項８】
前記半径方向シールは、前記スリーブの第１の端部の近くに配置される、請求項６又は請求項７に記載のマウント。
【請求項９】
前記第１の端部は、複数の圧縮リブを備える、請求項１から請求項８のいずれか１項に記載のマウント。
【請求項１０】
前記複数の圧縮リブのいずれも、前記複数の突起のうちの１つの内部に収納される、請求項９に記載のマウント。
【請求項１１】
前記第２の端部は、複数の圧縮リブを備える、請求項１から請求項１０のいずれか１項に記載のマウント。
【請求項１２】
前記スリーブの前記第２の端部の近くに第２のシールが設けられる、請求項１から請求項１１のいずれか１項に記載のマウント。
【請求項１３】
第２のシールはベローシールである、請求項１２に記載のマウント。
【請求項１４】
前記ベローシールは複数の圧縮リブを収納する、請求項１３に記載のマウント。
【請求項１５】
流体入口、流体出口、及び環状シートを有するケーシングと、
請求項１から１４のいずれかに記載の電気モータ用マウントと、
を備えるヘアケア電気器具であって、前記マウントの第１の端部は、前記環状シートによって支持される、ヘアケア電気器具。
【請求項１６】
流体入口、流体出口及び環状シートを有するケーシングと、
前記環状シートによって支持された電気モータ用マウントと、
を備えるヘアケア電気器具であって、
前記マウントはモータを収容するためのスリーブを備え、前記スリーブは第１の端部と第２の端部との間に延びる長手方向軸線を有し、前記第１の端部は、該第１の端部から外方に突出する個々の尖端に終端する複数の突起を備え、前記複数の突起は前記長手方向軸線に沿って延び、前記複数の突起は前記環状シートに係合する、ヘアケア電気器具。
【請求項１７】
前記電気器具は、ヒーターを収納する本体と、前記ケーシングを含むハンドルとを備える、請求項１６に記載の電気器具。
【請求項１８】
前記電気器具は、前記ケーシングへの流体入口から前記本体内の流体出口まで延びる流体流路を備える、請求項１６又は請求項１７に記載の電気器具。
【請求項１９】
前記第１の端部は、前記モータマウントの下流端に設けられる、請求項１６から請求項１８のいずれか１項に記載の電気器具。
【発明の詳細な説明】
【技術分野】
【０００１】
本発明は、モータ用の、好ましくは電気モータ用のマウントに関する。
【背景技術】
【０００２】
電気モータは、ますます非常に高度になってきており、最新デザインではより高い回転速度可能である。電気モータの当該デザインの１つは、出願人が手持ち式真空掃除機の領域で使用するようなブラシレス直流モータであり、これは１００Ｋｒｐｍの範囲の回転速度で駆動することができる。
【０００３】
真空掃除機、ファン、及びヘアケア電気器具等の流体運動用途での高速モータの利用は、物理的に小型のモータを備えたファンユニットは、それでもなお大量の流体流量を生成できるので技術的に魅力がある。
【発明の概要】
【発明が解決しようとする課題】
【０００４】
しかしながら、特に手持ち式電気器具の場合、モータは、電気器具の重量のかなりの部分を構成する可能性があり、電気器具が落下した場合に、モータは、損傷すること及びハウジングから変位することから保護する必要がある。
【課題を解決するための手段】
【０００５】
本発明は電気モータ用マウントを提供し、マウントはモータを収容するためのスリーブを備え、スリーブは第１の端部と第２の端部との間に延びる長手方向軸線を有し、第１の端部は複数の突起を有し、複数の突起は長手方向軸線に沿って延びている。
【０００６】
突起は、モータからモータマウントを通る振動／騒音の伝達を低減するために設けられる。
【０００７】
好ましくは、スリーブは、第１の端部又は第２の端部によってモータを収容する。好ましくは、複数の突起は、スリーブの円周の周りに離間する。複数の突起は、スリーブの周りに実質的に一定周波数のパターンを備えることが好ましい。
【０００８】
好ましくは、複数の突起は、先端がスリーブの第１の端部から長手方向軸線に沿って延びて実質的にＶ字形である。
【０００９】
好ましくは、第１の端部はマウントの下流端である。
【００１０】
半径方向シールが設けられ、半径方向シールは、スリーブの円周の周りに延びることが好ましい。
【００１１】
好ましくは、半径方向シールはリップシールである。
【００１２】
半径方向シールは、スリーブの第１の端部の近くに配置されることが好ましい。好ましくは、第１の端部は、複数の圧縮リブを備える。
【００１３】
複数の要素の各々及び／又は各ベローシール及び凹部は、マウントの中に収納されたファンユニットのための圧縮可能な弾性支持体である。
【００１４】
好ましくは、複数の圧縮リブのそれぞれは、複数の突起の１つの内部に収納される。
【００１５】
好ましくは、第２の端部は複数の圧縮リブを備える。
【００１６】
好ましくは、スリーブは、ポリマー材料から形成される。モータマウントをポリマー材料から形成すると好都合な結果が得られ、現在好ましい材料はウレタンゴムである。好ましくは、使用する材料は、ショア硬さが約２０である。
【００１７】
好ましくは、スリーブの第２の端部の近くに第２のシールが設けられる。好ましい実施形態では、第２のシールはベローシールである。
【００１８】
好ましくは、ベローシールは複数の圧縮リブを収納する。
【００１９】
また、ヘアケア電気器具が開示され、ヘアケア電気器具は、流体入口、流体出口、及び環状シートを有するケーシングと、環状シートによって支持された電気モータ用マウントとを備え、モータマウントはモータを収容するためのスリーブを備え、スリーブは第１の端部と第２の端部との間に延びる長手方向軸線を有し、第１の端部は複数の突起を備え、複数の突起は長手方向軸線に沿って延び、複数の突起は環状シートに係合する。
【００２０】
突起及びモータは、モータの作動時に結果的に生じた圧力がモータマウントの第１の端部を押し下げるように方向付けられる。突起によって、ケーシングに対するモータマウントの接触面が制限されるので、モータからモータマウントを通ってケーシングへ至る振動／騒音の伝達が低減される。
【００２１】
好ましくは、電気器具は、加熱器を収納する本体と、ケーシングを含むハンドルとを備える。
【００２２】
電気器具は、ケーシングへの流体入口から本体内の流体出口まで延びる流体流路を備えることが好ましい。
【００２３】
好ましくは、電気器具は、スリーブの中に配置されるモータを備える。好ましい実施形態では、電気器具は、スリーブの中に配置されるモータ及びインペラを含む。代替的に、インペラはスリーブの外側に配置される。
【００２４】
流体入口と流体出口との間にスリーブを貫通する流体流路を設けることが好ましい。モータマウントの環状シールは、ケーシングに対して流体流路をシールし、これによってモータマウントの周りで再循環して効率を低下させる流れを防止する。
【００２５】
ケーシングは、例えばフランジであるシール係合面を備える環状シートを含むことが好ましく、環状シートは、ケーシングの内側壁から半径方向内向きにかつ内側壁とほぼ垂直に延びることが好ましく、環状シールにシール係合する。
【００２６】
本発明は、単に例示目的で添付図面を参照しながら説明される。
【図面の簡単な説明】
【００２７】
【図１】本発明によるモータマウントを使用できるヘアドライヤを示す。
【図２】図１のヘアドライヤの断面図である。
【図３】本発明によるモータマウントの側面図である。
【図４】図３のモータマウントの等角図である。
【図５】図３のモータマウントの断面図である。
【図６】ケーシング内にある図１のモータマウントの断面図である。
【発明を実施するための形態】
【００２８】
図１及び図２は、ハンドル２０及び本体３０を備えるヘアドライヤ１０を示す。ハンドルは、本体３０に結合した第１の端部２２と、本体３０から遠位の主流体入口４０を含む第２の端部２４とを有する。動力は、ケーブル５０を介してヘアドライヤ１０に供給される。ケーブル５０のアドライヤ１０から遠位の端部にはプラグ（図示せず）が設けられており、プラグは、例えば主電源又はバッテリパックに対する電気接続を可能にする。
【００２９】
ハンドル２０は、本体３０からハンドルの遠位端２４へ延びる外側壁２００を有する。ハンドルの遠位端２４において端壁２１０が外側壁２００を横切って延びている。ケーブル５０は、この端壁２１０を通ってヘアドライヤに入る。ハンドル２０の主流体入口４０は、第１の開口４２及び第２の開口４６を含み、第１の開口４２は、ハンドル２０の遠位端２４から延びる一連の行及び／又は列でハンドルの外側壁２００の周りでこれに沿って延び、第２の開口４６は、ハンドル２０の端壁２１０を横切りかつ貫通して延びる。第１の開口及び第２開口は、主流体入口用の最初のフィルタを形成して毛髪及び他の異物が入るのを阻止するのを助ける。理想的には、より微細な第２のフィルタ４４を備える。ケーブル５０は、端壁２１０のほぼ中央に位置するのでハンドル２０の中心から延びる。ハンドル２０は長手方向軸線Ｘ−Ｘを有し、外側壁２００は、この軸Ｘ−Ｘに沿って本体３０から遠位端２４に向かって延びている。
【００３０】
主流体入口４０の上流にはファンユニット７０が設けられる。ファンユニット７０はファン及びモータを含む。ファンユニット７０は、モータハウジング１００の中に収納される。ファンユニット７０は、主流体入口４０から流体を引き込み、流体は、主流体入口４０から本体３０へ延びた主流体流路４００を通って本体３０に向かい、ハンドル２０と本体３０との結合部９０で本体３０に入る。ハンドル２０の中で、主流体流路４００は、ハンドル２０の中でのモータマウント１００の位置を規定するケーシング又はハウジング１５０を含む内側壁２２０の中を延びる。本体３０は、第１の端部３２及び第２の端部３４を有し、主流体流路４００は、本体３０を通って本体の第２の端部３４へ向かい、ヒーター８０を回って、主流体出口４４０へ至るように続き、ファンユニットによって引き込まれた流体は、主流体出口４４０において主流体流路４００から出る。主流体流路４００は、非直線状であり、ハンドル２０を第１の方向に通過し、第１の方向に対して直交する第２の方向で本体３０を通過する。
【００３１】
本体３０は、外側壁３６０及び内側ダクト３１０を含む。主流体流路４００は、ハンドル２０及び本体３０の結合部９０からの本体に沿って外側壁３６０とダクト３１０との間を延び、本体３０の第２の端部３４の主流体出口４４０へ向かう。
【００３２】
内側壁２６０は外側壁３６０の中を延びる。内側壁２６０は、少なくとも部分的に主流体出口４４０を定め、内側ダクト３１０と外側壁３６０との間で本体３０の第２の端部３４から延びる。
【００３３】
本体内には別の流体流路が設けられており、この流れは、ファンユニット又はヒーターによって直接処理されず、ヘアドライヤを通る主流れを生成するファンユニットの作用によってヘアドライヤ内へ引き込まれる。この流体流れは、主流体流路４００を通過する流体によってヘアドライヤ内へ取り込まれる。
【００３４】
本体の第１の端部３２は流体入口３２０を含み、本体の第２の端部３４は流体出口３４０を含む。流体入口３２０及び流体出口３４０の両方は、少なくとも部分的に、本体３０の内側壁でありかつ本体内でこれに沿って延びる内側ダクト３１０によって規定される。流体流路３００は、内側ダクト３１０の内部で、流体入口３２０から流体出口３４０へ延びる。本体３０の第１の端部３２において、側壁３５０は、管状部分３１２と外側壁３６０との間に延びる。この側壁３５０は、少なくとも部分的に流体入口３２０を定める。主流体出口４４０は環状であり、流体流路を取り囲む。
【００３５】
ヘアドライヤ用制御電子機器を含むＰＣＢ７５は、本体３０内で側壁３５０及び流体入口３２０の近くに配置される。ＰＣＢ７５は、リング形状であり、内側ダクト３１０と外側壁３６０との間で内側ダクト３１０の周りに延びている。ＰＣＢ７５は主流体流路４００と流体連通する。ＰＣＢ７５は、流体流路３００の周りに延び、内側ダクト３１０によって流体流路３００から分離される。
【００３６】
ＰＣＢ７５は、ヒーター８０の温度及びファンユニット７０の回転速度等のパラメータを制御する。内部配線（図示せず）によって、ＰＣＢ７５は、ヒーター８０、ファンユニット７０、及びケーブル５０に電気的に接続される。ＰＣＢ７５に接続される制御ボタン６２、６４が設けられており、ユーザは、例えば様々な温度設定値及び流量を選択できる。
【００３７】
使用時、流体は、ファンユニット７０の作用によって主流体流路４００内に引き込まれ、随意的にヒーター８０によって加熱され、主流体出口４４０から流出する。この処理された流れ（以下、処理流と呼ぶ）により、流体が流体入口３２０で流体流路３００内に取り込まれる。流体は、本体３０の第２の端部３４において処理流と合流する。図２に示す実施例において、処理流は、環状流として主流体出口４４０及びヘヤードライヤから流出し、環状流は、流体出口３４０を通ってヘヤードライヤから流出する同伴流を取り囲む。従って、ファンユニット及びヒーターによって処理された流体は、同伴流によって増強される。
【００３８】
次に、図２から図６を参照して本発明を詳細に説明する。モータマウント１００は、第１の開放端及び第２の開放端１１４、１１６を含む略円筒状のスリーブ１１２を備える。第１の開放端１１４及び第２の開放端１１６の両方の直径は、実質的にスリーブ１１２の直径と同じである。モータマウント１００及びスリーブ１１２は、ヘアドライヤ１０のハンドル２０の長手方向軸線Ｘ−Ｘに一致して又はこれと平行な長手方向軸線Ｙ−Ｙに沿って延びており、第１の開放端部１１４及び第２の開放端部１１６は、スリーブ１１２の長手方向軸線Ｙ−Ｙに垂直な平面内にある。
【００３９】
スリーブ１１２の構造がチャンバ１１８を規定し、モータフレーム２７０（図２）、電気モータ、及びインペラを備えるファンユニット７０がこの中に収容される。ファンユニット７０は、スリーブ１１２の開放端１１４、１１６からチャンバ１１８に収容される。好ましくは、スリーブ１１２はポリマー等の可撓性材料であり、スリーブ１１２は、ファンユニット７０の外面上で引き寄せて、必要であれば引き延ばすことができるので、スリーブ１１２の内面１２２は、ソックスのようにファンユニット７０の周りにぴったりと合う。一対の環状の内部フランジ１２４は、スリーブの内面１２２から半径方向内向きに延びている。これらのフランジ１２４は、チャンバ１１８の範囲を定め、ファンユニット７０をスリーブ１１２に対して所定位置に保持するのになっている。本実施形態では、内面１２２は滑らかであり、ファンユニット７０の円筒状の外側輪郭にぴったり一致することに留意されたい。
【００４０】
ファンユニット７０は、単純化のため及びモータマウント１００の詳細を不明瞭にしないように概略的に示されていることを理解されたい。ファンユニットは、発明概念の中心ではないので詳細に説明しない。加えて、本実施形態では、ファンユニット７０全体がモータマウント１００に収納されるが、このことは必須ではなく、ファンはモータマウント１００の外部にあってもよい。
【００４１】
モータマウント１００の１つの目的は、ファンユニット７０の周りに嵌合して、ファンユニット７０の外部ケースと、内部にファンユニットが組み込まれる器具の内面との間の隔離境界面としての機能を果たすことである。モータマウント１００の隔離特性を強化するために、スリーブ１１２は、騒音低減手段を備える。本実施形態において、騒音低減手段は、モータマウントの外面１３０の周りで離間した複数の突出要素１３２、１３４の形態である。明瞭化のために少数の要素だけに番号が付与されていることに留意されたい。
【００４２】
詳細には、第１のタイプの要素は、直円錐として形成されたスタッド１３２であり、各々は、スリーブ１１２から離れる方向に向かう、頂点１３６とも呼ばれる鋭い先端部を規定する。従って、スタッド１３２は、スリーブ１１２の表面の周りで放射状に分散配置された鋭い先端部を備え、鋭い先端部は、内部にファンユニット７０及びモータマウント１００が組み込まれる隣接するハウジングとの境界面として機能する。図６は、ハンドル２０の内側壁２２０の一部を形成するケーシング又はハウジング１５０に組み込まれたモータマウント１００を示す。
【００４３】
第２のタイプの要素は、複数の圧縮リブ１３４であり、これらは、モータマウント１００の周りで放射状に離間する。第１の圧縮リブセット１３４ａは、モータマウント１００の外面１３０の周りで、フランジ１２４ａと第１の端部１１４との間に位置する。第２の圧縮リブセット１３４ｂは、モータマウントの内面１２２の周りで、フランジ１２４ｂとスリーブ１１２の第２の端部１１６との間に位置する。従って、圧縮リブ１３４は、内部にファンユニット７０が配置されるチャンバ１１８の軸線方向外部に又は外側に位置する。圧縮リブ１３４は、ファンユニット７０に軸線方向の緩衝機能をもたらす。
【００４４】
ケーシング１５０は一対の環状シート１６０を含み、各々は、内側壁２２０の半径方向内向きに延び、ケーシング１５０の中のモータマウント１００の位置を規定する。各環状シート１６０は、モータマウント１００のそれぞれの端部１１４、１１６に係合し、モータマウント１００をケーシング又はハウジングの１５０の中で保持する。各環状シート１６０は、フランジ１６２を備えており、このフランジ１６２は、ケーシング１５０及び内側壁２２０の半径方向内向きに延びてモータマウント１００の端部１１４、１１６に係合するようになっている。モータマウント１００の第２の端部１１６は、下流端又は主流体入口４０から最も遠い端部であり、第２の端部１１６のベローシール（ｂｅｌｌｏｗ  ｓｅａｌ）１４０は、フランジ１６２ａにシール係合でもって係合して、流体がモータ７０の外側の周りに流れるのを防止する。
【００４５】
モータマウント１００の第２の端部１１６には環状シール１４０が設けられている。環状シール１４０は多くの機能を有するベローシールであり、第１の機能は、ケーシング１５０とモータマウント１００との間をシールすることであり、第２の機能は、圧縮リブ１３４を収納することであり、第３の機能は、振動を絶縁することである。ベローシール１４０は自己付勢式シールであり、ファンユニット７０が作動すると、ベローシール１４０のシール面１４２は、環状シート１６０の接触面１６２ａに押し付けられる。
【００４６】
モータマウント１００の第１の端部１１４には環状シールは設けられておらず、モータマウントは、第１の端部１１４を規定する平面の周りでは非連続である。端面２１４は、ジグザグパターン又は起伏パターンで形状である。パターンは、単調なジグザグ又は起伏である規則的なパターンである。これは必須ではないが、モータマウント１００が第１の端部１１４の円周の周りで均等に支持されて、モータ７０がモータマウント１００の周りで半径方向にバランス調整されるので好都合である。
【００４７】
端面２１４のジグザグ又は起伏は、多数の突起２１６をもたらし、この突起は、スリーブ１１２の長手方向軸線Ｙ−Ｙに沿って主流体入口４０に向かって延びる。これらの突起２１６の各々は圧縮リブ１３４ａを含む。
【００４８】
第２のフランジ１６２ｂは、ケーシング１５０の上流端又は主流体入口４０に最も近い端部に設けられ、モータマウント１００の第１の端部１１４における端面２１４の突起２１６に係合する。モータマウント１００の第１の端部１１４には連続的な平らな表面がないので、この表面は、モータ７０及びモータマウント１００の周囲を流れる流体に対するシールを提供しない。このシールは、代わりに、モータマウント１００の外面１３０の周りを放射状に延びるリップシール１４４によって提供される。
【００４９】
リップシール１４４は、第１の端部１１４の近くに設けられ、端面２１４から半径方向に離間するが、リップシール１４４は、スリーブ１１２に沿った任意の場所に配置することができる。
【００５０】
モータ７０の作動時に、発生した圧力により、モータ７０は、モータマウント１００の第１の端部１１４に押し付けられる。初期バージョンのモータマウントでは、第１の端部は、このモータマウント１００の第２の端部１１６に設けられた環状シール又はベローシールのようなシールを備えていたが、振動／騒音がこの環状シールを通って軸線方向に伝達することが分かった。モータマウントの２つの機能を分離することによって、この振動／騒音の軸線方向への伝達が減少した。シール機能は、別体のリップシール１４４に移され、モータ７０の衝撃緩衝機能は、依然として圧縮リブ１３４ａによって提供される。圧縮リブ１３４ａは起伏状端面２１４がもたらす突起２１６の中に収納されるので、弾性又はばね様機能が追加的に提供され、これは、例えば電気器具が高所から落下した場合であっても衝撃緩衝機能を強化する。
【００５１】
接触面１６２ａ、１６２ｂは、軸線方向に配置された表面でなく半径方向に配置された表面であり、振動絶縁を改善する。接触面１６２ａ、１６２ｂは、ケーシング１５０の中に配置され、フランジ１６０から形成された環状シートである。モータマウント１００上で、フランジ１２４ａ、１２４ｂは、モータマウント１００の内面１２２から半径方向内向きに延びるので、ケーシング１５０の各フランジ１６０の接触面１６２ａ、１６２ｂは、ファンユニット７０のインペラの回転軸と実質的に直交する。加えて、ファンユニット７０のインペラの回転軸は、ケーシング１５０の長手方向軸線と実質的に同一直線上にある。
【００５２】
ベローシール１４０及び突出要素１３２、１３４は、モータマウント１００とケーシング１５０の内面１５２との間に複数の弾性支持部を提供する。弾性支持部は、モータマウント１００の周り、及びモータマウントの各端部１１４、１１６又はその近くに放射状に設けられ、方向に関係なくモータのための軸線方向及び半径方向の緩衝機能をもたらす。これは、手で把持するように設計され、把持されていない場合に設置するためのベース面を有しない電気器具のための本形式のモータマウント１００の重要な利点であり、ファンユニットは、電気器具の床面への落下又は強打の場合に全方向での衝撃から保護する必要があるというのが理由である。
【００５３】
図１及び図２に図示したヘアドライヤでは、２つの最も重い構成部品はファンユニット７０及びヒーター８０であり、ヘアドライヤ１０が落下する場合、本体３０が最初に着地しやすいであろう。モータフレーム２７０及びファンユニット７０がケーシング１５０から変位することに対する特別な保護をもたらすために、凹部１７０は、モータマウント１００の周りに設けられる。凹部１７０は、スリーブ１１２の周りで円周方向に延びる窪みである。凹部１７０は、モータマウント１００の下流端の近くに設けられる。
【００５４】
上述したように、モータマウントは、可撓性材料、ポリマー材料であることが好ましい。本実施形態では、ウレタンゴムが使用される。
【００５５】
例示的な図面の具体的な実施形態に対する一部の変更例は前述されている。以下に他の変更例を説明する。
【００５６】
図示した特定の実施形態では、ファンユニット７０は、流体移動手段として機能するモータ及びインペラを備えており、空気流は矢印で示されており、モータ及びインペラは、モータマウントの中に収納される。この構成は、真空掃除機等の高速空気流れを必要とする他の器具、流体が本体及び温風整髪ブラシだけを流れる従来のヘアドライヤ等の他のヘアケア電気器具、及びファンに対して特定の用途を有することができる。しかしながら、特定な実施形態は単なる例示であり、モータマウントは、インペラが外部に配置されてモータのみを収納でき、従って、マウントとしてのモータマウント１００という用語の使用は、モータがインペラに連結されるか否かに関わらず、モータをほとんど共形のハウジングの中に組み込むことが必要な全ての器具に適用できることを理解されたい。
【００５７】
円筒状のスリーブは、対応する形状のモータ外面を保護及び絶縁材料で構成される切れ目の内「ソックス」で包囲するように機能するので、現在のところ円筒状のスリーブが好ましい。しかしながら、スリーブが部分的に円筒状であって効果があることが想定されており、スリーブは、モータの外面全体を包囲しない。
【００５８】
本実施形態では、モータマウントの外面は複数の鋭いスタッドを備えるが、モータマウントの内面は滑らかである。スリーブの内面が滑らであるとの説明は、表面粗さの正確な値を意図したものではなく、むしろ内面は、表面にでこぼこ／隆起及び突起が実質的に存在せず、内面は、モータの外部ケースの外周に均等に接触することが意図されている。理論的には制約されないが、スリーブの内面の滑らかさによって、モータとスリーブとの間の良好な音響的接触が助長されると考えられる。
【００５９】
上述した具体的な実施形態では、スリーブは円筒状である。しかしながら、このことは本発明にとって必須ではなく、スリーブは、代りに、異なる断面輪郭とすることができることを理解されたい。ここで、スリーブはモータケーシングの外面に一致する必要があるので、この輪郭は、モータケーシングの円筒状の輪郭と一致するように円筒状である、従って、円筒状のモータケーシングが最も一般的であるが、スリーブは、モータの外側ケースに嵌合するために必要なあらゆる輪郭にできるということになる。
【００６０】
特定の実施形態で説明した環状シールはベローシールであるが、当業者には明らかなように、環状部をシールすること及び可逆的に圧縮可能な何らかの構成が適用可能である。
【符号の説明】
【００６１】
１００  モータマウント
１１２  スリーブ
１１４  第１の端部
１１６  第２の端部
１３０  外面
１３４  圧縮リブ
１３４ａ  圧縮リブ
１３６  頂点
１４０  環状シール
１４４  リップシール
１５０  ケーシング
１６０  環状シート
２１４  端面
２１６  突起
Ｙ−Ｙ  長手方向軸線
【図１】
0006512713.tif 000002
【図２】
0006512713.tif 000003
【図３】
0006512713.tif 000004
【図４】
0006512713.tif 000005
【図５】
0006512713.tif 000006
【図６】
0006512713.tif 000007